(57)【特許請求の範囲】
【請求項１】
作業エリアで作業をする作業員に携帯される作業支援端末であって、
前記作業エリアに設置された作業無線送信機の識別信号と、進入禁止エリアに設置された禁止無線送信機の識別信号とを受信する近距離通信部と、
作業エリア情報として、前記作業無線送信機ごとに設定された作業時間および前記作業無線送信機ごとに設定された受信強度閾値を予め記憶する記憶部と、
前記作業無線送信機の識別信号を当該作業無線送信機に対応して設定された前記受信強度閾値以上の受信強度で受信すると、前記作業エリアで作業をしているとして前記作業無線送信機ごとに前記識別信号の受信時間を累積する累積処理部と、
前記累積処理部で累積した時間が当該作業無線送信機に対応して設定された前記作業時間を越えると当該作業無線送信機に対応する作業エリアにおいて作業が完了したと判定する作業判定部と、
前記禁止無線送信機の識別信号を所定の禁止強度閾値以上の受信強度で受信すると、前記進入禁止エリアに立ち入ったとして前記作業員に対して警報出力する警報判定部と、
を備え、
前記禁止強度閾値は、前記作業無線送信機ごとに設定された受信強度閾値より高い値に設定されることを特徴とする作業支援端末。
【請求項２】
作業エリアに設置された作業無線送信機の識別信号を受信強度閾値以上の信号強度で受信すると前記作業エリアで作業をしているとして前記作業無線送信機ごとに前記識別信号の受信時間を累積し、進入禁止エリアに設置された禁止無線送信機の識別信号を禁止強度閾値以上の信号強度で受信すると前記進入禁止エリアに立ち入ったとして作業員に対して警報を出力する作業支援端末と、前記受信強度閾値と前記禁止強度閾値を設定する管理端末とを備えた作業支援システムであって、
前記管理端末は、
前記管理端末の利用者が前記作業無線送信機ごとに前記受信強度閾値を設定範囲内で入力する操作部と、
前記操作部から入力された前記作業無線送信機ごとの受信強度閾値と所定の前記禁止強度閾値を作業エリア情報として生成する作業情報生成部と、
前記作業エリア情報を前記作業支援端末に送信する作業指示部と、
を備え、
前記禁止強度閾値は、前記作業無線送信機ごとに設定された受信強度閾値より高い値に設定されることを特徴とする作業支援システム。
【請求項３】
作業エリアで作業をする作業員に携帯される作業支援端末で実行される方法であって、
前記方法は、
作業エリア情報として、前記作業エリアごとに設定された作業時間および前記作業エリアに設置された作業無線送信機ごとに設定された受信強度閾値を予め記憶する処理と、
前記作業無線送信機の識別信号を受信する処理と、
前記作業無線送信機の識別信号を当該作業無線送信機に対応して設定された前記受信強度閾値以上の受信強度で受信すると、前記作業エリアで作業をしているとして前記作業無線送信機ごとに前記識別信号の受信時間を累積する処理と、
前記累積した時間が当該作業エリアに対応して設定された前記作業時間を越えると当該作業エリアにおいて作業が完了したと判定する処理と、
進入禁止エリアに設置された禁止無線送信機の識別信号を受信する処理と、
前記禁止無線送信機の識別信号を所定の禁止強度閾値以上の受信強度で受信すると、前記進入禁止エリアに立ち入ったとして前記作業員に対して警報出力する処理と、を含み、
前記禁止強度閾値は、前記作業無線送信機ごとに設定された受信強度閾値より高い値に設定されることを特徴とする方法。
【請求項４】
作業エリアで作業をする作業員に携帯される作業支援端末で実行されるプログラムであって、
前記プログラムは、コンピュータに、
前記作業エリアに設置された作業無線送信機の識別信号と、進入禁止エリアに設置された禁止無線送信機の識別信号とを受信する処理と、
作業エリア情報として、前記作業無線送信機ごとに設定された作業時間および前記作業無線送信機ごとに設定された受信強度閾値を予め記憶する処理と、
前記作業無線送信機の識別信号を当該作業無線送信機に対応して設定された前記受信強度閾値以上の受信強度で受信すると、前記作業エリアで作業をしているとして前記作業無線送信機ごとに前記識別信号の受信時間を累積する処理と、
前記累積した時間が当該作業無線送信機に対応して設定された前記作業時間を越えると当該作業無線送信機に対応する作業エリアにおいて作業が完了したと判定する処理と、
前記禁止無線送信機の識別信号を所定の禁止強度閾値以上の受信強度で受信すると、前記進入禁止エリアに立ち入ったとして前記作業員に対して警報出力する処理と、
を実行させ、
前記禁止強度閾値は、前記作業無線送信機ごとに設定された受信強度閾値より高い値に設定されることを特徴とするプログラム。
【発明の詳細な説明】
【技術分野】
【０００１】
本発明は、作業エリアで作業をする作業員に携帯される作業支援端末に関する。
【背景技術】
【０００２】
ビル管理等の業務では、会社の敷地内やビル内部等を対象施設として作業員が定期的に施設内を巡回する定期点検作業を実施することがある。このような作業としては、設備点検や警備巡回、清掃など様々な業務がある。以下では、清掃作業を例にして、その業務の内容を説明する。
【０００３】
清掃作業において、作業員は、対象施設で清掃を行う清掃エリア（作業エリア）を所定の順序で定期的あるいは不定期に巡回し、各清掃エリア内の清掃を実施する。清掃すべきポイントを漏れなく清掃したか否かは、作業員により清掃記録として記入される。こうした従来の清掃業務では、清掃作業の実施有無およびどの程度清掃したかは作業員の自己申告であり、本来的にはより確実性のある記録が望まれる。
【０００４】
これは、清掃業務だけに限らず、設備機器などの保守点検業務でも同様である。保守点検の分野では、携帯端末により作業員を支援する技術が提案されている（例えば、特許文献１参照）。
【０００５】
特許文献１には、設備の点検保守を行なう作業員が所持し、その作業を支援することにより設備の点検保守を確実に行うことができる携帯端末装置が開示されている。この携帯端末装置は、設備に貼付された無線タグから出された設備ＩＤを受信するインタフェース装置を備えている。携帯端末装置にて無線タグの受信記録を保存することで、確実に無線タグ近傍に所在したことが記録できる。
【先行技術文献】
【特許文献】
【０００６】
【特許文献１】特開平１０−２２２５４３号公報
【発明の概要】
【発明が解決しようとする課題】
【０００７】
しかしながら、無線タグの信号を受信したか否かだけでは作業の記録として必ずしも有効ではない。例えば、作業員が所持する携帯端末装置が現在作業していないエリアのタグをたまたま受信しただけであったり、タグの近傍を通過しただけであったり、といった誤認識の可能性がある。また、故意的に、作業をしていないにも拘わらず不正に記録だけ残すといった使用のおそれもある。清掃作業を管理する場合においては、清掃エリアに応じて必要とされる作業時間や作業量が担保されたかを、管理者が把握可能とする必要がある。また、このように適切に作業をしたことの記録が必要となる一方で、対象施設を巡回する作業員が進入禁止エリアに立ち入っていないことも把握可能とする必要がある。
【０００８】
本発明は、上記の課題に鑑みてなされたもので、作業員が作業エリアで作業を完了したか否かを記録・管理することができ、また、作業員が進入禁止エリアに近づくのを抑制することのできる作業支援端末を提供することを目的とする。
【課題を解決するための手段】
【０００９】
本発明の作業支援端末は、作業エリアで作業をする作業員に携帯される作業支援端末であって、前記作業エリアに設置された作業無線送信機の識別信号と、進入禁止エリアに設置された禁止無線送信機の識別信号とを受信する近距離通信部と、作業エリア情報として、前記作業無線送信機ごとに設定された作業時間を予め記憶する記憶部と、前記作業無線送信機の識別信号を受信すると、前記作業無線送信機ごとに前記識別信号の受信時間を累積する累積処理部と、前記累積処理部で累積した時間が当該作業無線送信機に対応して設定された前記作業時間を越えると当該作業無線送信機に対応する作業エリアにおいて作業が完了したと判定する作業判定部と、前記禁止無線送信機の識別信号を受信すると、前記作業員に対して警報出力する警報判定部と、を備えている。
【００１０】
この構成により、作業支援端末は、作業エリアに設置された作業無線送信機の識別信号を、所定の作業時間（その作業無線送信機に対応して設定された作業時間）のあいだ、累積的に受信すると、その作業エリアにおいて作業が完了したと判定する。これにより、作業員が作業エリアで作業を完了したか否かを作業支援端末で記録・管理することが可能になる。一方、作業支援端末は、進入禁止エリアに設定された禁止無線送信機の識別信号を受信すると、作業員に対して警報出力する。これにより、作業員が進入禁止エリアに近づくのを抑制することができる。
【００１１】
また、本発明の作業支援端末では、前記記憶部は、前記作業エリア情報として、前記作業無線送信機ごとに設定された受信強度閾値をさらに記憶し、前記累積処理部は、前記作業無線送信機の識別信号の受信強度が当該作業無線送信機に対応して設定された前記受信強度閾値以上であれば、前記識別信号の受信時間を累積し、前記警報判定部は、前記禁止無線送信機の識別信号の受信強度が所定の禁止強度閾値以上であれば、前記作業員に対して警報出力し、前記禁止強度閾値は、前記作業無線送信機ごとに設定された受信強度閾値より高い値に設定されてもよい。
【００１２】
この構成により、作業支援端末は、作業エリアに設置された作業無線送信機の識別信号を、所定の受信強度閾値（その作業無線送信機に対応して設定された受信強度閾値）以上で、かつ、所定の作業時間のあいだ、累積的に受信すると、その作業エリアにおいて作業が完了したと判定する。このように、作業無線送信機からの識別信号の受信強度を考慮に入れることにより、作業員が作業エリアで作業を完了したか否かの判定精度を高くすることができる。一方、作業支援端末は、進入禁止エリアに設定された禁止無線送信機の識別信号を、所定の禁止強度閾値（作業無線送信機ごとに設定された受信強度閾値より高い値）以上で受信すると、作業員に対して警報出力する。このように、進入禁止の警報に際しては禁止無線送信機からの識別信号の受信強度が高い場合となるよう考慮に入れることにより、作業員が進入禁止エリアに立ち入ったか否かの判定精度を高くすることができる。
【００１３】
本発明の作業支援システムは、作業エリアに設置された作業無線送信機の識別信号が受信強度閾値以上の信号強度であれば受信し、進入禁止エリアに設置された禁止無線送信機の識別信号が禁止強度閾値以上の信号強度であれば受信する作業支援端末と、前記受信強度閾値と禁止強度閾値を設定する管理端末とを備えた作業支援システムであって、前記管理端末は、前記管理端末の利用者が前記作業無線送信機ごとに前記受信強度閾値を設定範囲内で入力する操作部と、前記操作部から入力された前記作業無線送信機ごとの受信強度閾値と所定の前記禁止強度閾値を作業エリア情報として生成する作業情報生成部と、前記作業エリア情報を前記作業支援端末に送信する作業指示部と、を備え、前記禁止強度閾値は、前記作業無線送信機ごとに設定された受信強度閾値より高い値に設定されている。
【００１４】
この構成により、管理端末を用いることによって、作業無線送信機ごとの受信強度閾値を容易に設定することができる。これにより、作業員が作業エリアで作業を完了したか否かを作業支援端末で記録・管理することが可能になる。また、管理端末を用いることによって、禁止無線送信機の禁止強度閾値を容易に設定することができる。これにより、作業員が進入禁止エリアに近づくのを抑制することができる。この場合、禁止強度閾値が作業無線送信機ごとに設定された受信強度閾値より高い値に設定されるので、作業員が進入禁止エリアに立ち入ったか否かの判定精度を高くすることができる。
【００１５】
本発明の方法は、作業エリアで作業をする作業員に携帯される作業支援端末で実行される方法であって、前記方法は、作業エリア情報として、前記作業エリアごとに設定された作業時間を予め記憶する処理と、前記作業エリアに設置された作業無線送信機の識別信号を受信する処理と、前記作業無線送信機ごとに前記識別信号の受信時間を累積する処理と、前記累積処理部で累積した時間が当該作業エリアに対応して設定された前記作業時間を越えると当該作業エリアにおいて作業が完了したと判定する処理と、進入禁止エリアに設置された禁止無線送信機の識別信号を受信する処理と、前記禁止無線送信機の識別信号を受信すると、前記作業員に対して警報出力する処理と、を含んでいる。
【００１６】
この方法によっても、上記の作業支援端末と同様に、作業員が作業エリアで作業を完了したか否かを作業支援端末で記録・管理することが可能になり、また、作業員が進入禁止エリアに近づくのを抑制することができる。
【００１７】
本発明のプログラムは、作業エリアで作業をする作業員に携帯される作業支援端末で実行されるプログラムであって、前記プログラムは、コンピュータに、前記方法は、前記作業エリアに設置された作業無線送信機の識別信号と、進入禁止エリアに設置された禁止無線送信機の識別信号とを受信する処理と、作業エリア情報として、前記作業無線送信機ごとに設定された作業時間を予め記憶する処理と、前記作業無線送信機の識別信号を受信すると、前記作業無線送信機ごとに前記識別信号の受信時間を累積する処理と、前記累積処理部で累積した時間が当該作業無線送信機に対応して設定された前記作業時間を越えると当該作業無線送信機に対応する作業エリアにおいて作業が完了したと判定する処理と、前記禁止無線送信機の識別信号を受信すると、前記作業員に対して警報出力する処理と、を実行させる。
【００１８】
このプログラムによっても、上記の作業支援端末と同様に、作業員が作業エリアで作業を完了したか否かを作業支援端末で記録・管理することが可能になり、また、作業員が進入禁止エリアに近づくのを抑制することができる。
【発明の効果】
【００１９】
本発明によれば、作業支援端末を用いることにより、作業員が作業エリアで作業を完了したか否かを記録・管理することができ、また、作業員が進入禁止エリアに近づくのを抑制することができる。
【図面の簡単な説明】
【００２０】
【図１】本発明の実施の形態における管理端末の構成を示すブロック図である。
【図２】本発明の実施の形態における作業支援端末の構成を示すブロック図である。
【図３】本発明の実施の形態における清掃エリアの説明図である。
【図４】本発明の実施の形態における禁止エリアの説明図である。
【図５】本発明の実施の形態における管理端末の操作画面（清掃エリアでの操作画面）の一例を示す図である。
【図６】本発明の実施の形態における管理端末の操作画面（禁止エリアでの操作画面）の一例を示す図である。
【図７】本発明の実施の形態における管理端末の動作（受信強度閾値および禁止強度閾値の設定処理）を示すフロー図である。
【図８】本発明の実施の形態における清掃作業時の処理の流れを示すシーケンス図である。
【図９】本発明の実施の形態における作業支援端末の動作（清掃作業の進行の支援・管理処理）を示すフロー図である。
【発明を実施するための形態】
【００２１】
以下、本発明の実施の形態の作業支援システムについて、図面を用いて説明する。本実施の形態では、作業員が施設内を巡回して清掃作業を行う場合にその作業の進行を支援・管理する作業支援システムの場合を例示する。なお、以下では、清掃作業を例として本発明を説明するが、本発明の範囲はこれに限られない。
【００２２】
本実施の形態の作業支援システムの全体の構成を、図面を参照して説明する。図１は、管理端末の構成を示すブロック図であり、図２は、作業支援端末の構成を示すブロック図である。また、図３は、清掃エリアの例を示した図であり、図４は、進入禁止エリアの例を示した図である。
【００２３】
図１〜図４に示すように、本実施の形態の作業支援システムは、無線送信機１と管理端末２と作業支援端末３を備えている。無線送信機１は、清掃エリア（作業エリア）や進入禁止エリアの壁面などに設置されるいわゆる無線タグである（図３および図４参照）。本実施の形態において、無線送信機１には、清掃作業を行う清掃エリアに設置される作業無線送信機としての作業タグと、清掃作業において進入禁止となる進入禁止エリアに設置される禁止無線送信機としての禁止タグが含まれる。無線タグは、例えばBluetooth（登録商標）LEなど所定の近距離無線通信規格に準拠したビーコン信号を発信する機能を備えている。ビーコン信号には、その無線タグを識別するための識別情報（識別ＩＤなど）が含まれている。ビーコン信号は、識別信号と呼ぶこともできる。ビーコン信号の発信は、定期的に（例えば、１０秒に１回）行われる。このような無線タグとしては、例えば、自ら電波を発信するアクティブタイプの無線タグが用いられる。なお、無線タグとして、受動型のパッシブタイプの無線タグが用いられてもよい。
【００２４】
管理端末２は、管理者（清掃業者の社員など）が所持する携帯端末（例えば、スマートフォン）である。後述するように、管理端末２は、清掃エリア内で無線送信機１と近距離通信を行って、作業支援端末３が無線送信機１と通信可能な範囲（受信強度閾値）を無線送信機１ごとに設定する機能を備えている。また、管理端末２は、作業支援端末３と通信を行って、無線送信機１ごとに設定した通信可能範囲の情報（作業エリア情報）を作業支援端末３に送信する機能を備えている。これらの機能は、管理端末２のメモリ等に格納されたプログラムによって実現することができる。なお、管理端末２は、携帯端末として構成される例に限らず、携帯可能であり無線送信機１の信号を受信できる近距離無線通信機能、作業支援端末３との通信機能、および、情報処理機能を有し、アプリケーションプログラムを記憶してこれらの機能を実現できる、１または複数の装置で構成されてよい。
【００２５】
作業支援端末３は、作業員となる清掃員に携帯される携帯端末（例えば、スマートフォン）である。清掃員は、作業支援端末３を所持したまま施設内を巡回して清掃作業を行う。後述するように、作業支援端末３は、清掃エリア内で無線送信機１と近距離通信を行って、清掃エリアごとの清掃作業の実施有無やどの程度清掃をしたか等を記録する機能を備えている。また、作業支援端末３は、管理端末２と通信を行って、清掃作業に関する指示（清掃開始や清掃終了の連絡、作業遅延の警告など）を受けとって清掃員に提示したり、あるいは、上記の清掃作業に関する記録（清掃作業の実施有無やどの程度清掃をしたか等）を管理端末２に送信する機能を備えている。これらの機能は、作業支援端末３のメモリ等に格納されたプログラムによって実現することができる。
【００２６】
つぎに、管理端末２の各部の構成について、図面を参照しながら説明する。図１に示すように、管理端末２は、近距離通信部２０、通信部２１、記憶部２２、表示部２３、操作部２４、制御部２５を備えている。
【００２７】
近距離通信部２０は、清掃エリア内で無線送信機１と近距離通信を行う機能を備えた通信インターフェースである。近距離通信部２０は、清掃エリア内で無線送信機１から送信されるビーコン信号を受信する。近距離通信には、例えばBluetooth（登録商標）が用いられる。通信部２１は、作業支援端末３と通信を行う機能を備えた通信インターフェースである。通信部２１は、例えば、電話網やインターネット網などを介して、作業支援端末３と通信を行う。記憶部２２は、メモリなどで構成される。記憶部２２には、管理端末２の機能を実現するためのプログラムや種々のデータが記憶される。表示部２３は、液晶ディスプレイなどで構成される。操作部２４は、入力キーなどで構成されてもよく、タッチパネルで構成されてもよい。タッチパネルは、表示部２３と操作部２４の両方の機能を兼ね備えているといえる。
【００２８】
制御部２５は、受信強度提示部２６、作業情報生成部２７、作業指示部２８を備えている。受信強度提示部２６は、清掃エリア内の現在の位置において無線送信機１から受信したビーコン信号の受信信号強度（以下、単に受信強度という）に基づいて受信強度閾値の初期値を算出し、算出した受信強度閾値の初期値を表示部２３に出力する。受信強度閾値は、この無線送信機１のビーコン信号を作業支援端末３で受信可能とするための受信信号強度の下限値として設定される値である。この場合、受信強度提示部２６は、清掃エリア内の現在の位置における無線送信機１からの受信強度を無線送信機１との相対距離に換算する演算を行って、受信強度閾値の初期値から無線送信機１と通信可能な相対距離の初期値を算出し、算出した相対距離の初期値を表示部２３に出力する。
【００２９】
例えば、図５に示すように、清掃エリアに設置された無線送信機１（作業タグ）からの受信強度が−４０ｄＢｍである場合、受信強度提示部２６は、この受信強度を相対距離に換算して、無線送信機１と通信可能な相対距離の初期値として表示部２３に表示する。図５の例では、相対距離は、「近い」と「遠い」との間の距離軸上の距離（相対的な距離）として表示され、この場合、無線送信機１と通信可能な相対距離の初期値として、受信強度閾値の初期値−４０ｄＢｍに対応する距離として「近い」側から４分の１程度の距離（相対距離）に現在の距離値を示す人型のマーカが表示されている。受信強度を相対距離に変換する処理は、例えば、事前に用意しておいた変換テーブル（受信強度−相対距離テーブル）を参照して行うことができる。また、この相対距離に対応する受信信号強度が「設定信号強度」として表示されている。
【００３０】
管理者（管理端末２の利用者）は、操作部２４で、受信強度閾値の初期値を確定または変更する操作を行うことにより、受信強度閾値の設定値の入力を行う。この場合、表示部２３に出力された相対距離の初期値を確定または変更する操作をすることにより、受信強度閾値の設定値の入力を行う。例えば、図５の操作画面の例では、相対距離として表示される受信強度閾値マークＭを左右にドラッグ操作することにより、受信強度閾値の初期値を変更することができ、その後、登録ボタンＢをタッチ操作することにより、変更後の値を受信強度閾値の設定値として入力することができる。例えば、無線送信機１と通信可能な範囲を、無線送信機１に対してより近い範囲に制限したい場合には、受信強度閾値マークＭを「近い」側（図において左側）に変更する。また、受信強度閾値の初期値を変更せずにそのまま設定値として確定する場合には、図５の操作画面の例で（受信強度閾値マークＭを左右にドラッグ操作することなく）登録ボタンＢをタッチ操作する。
【００３１】
なお、受信強度閾値を変更する受信強度閾値マークＭのドラッグ操作を行うと、それに連動して「設定信号強度」の数値が対応する値に変更される。例えば、受信強度閾値（作業支援端末３が無線送信機１と通信可能な相対距離）を「近い」側に変更すると、設定信号強度がより高い値に変更される。また、受信強度閾値（作業支援端末３が無線送信機１と通信可能な相対距離）を「遠い」側に変更すると、設定信号強度がより低い値に変更される。登録ボタンＢを操作したときに設定されている設定信号強度が、受信強度閾値の設定値として入力される。
【００３２】
また、図６に示すように、進入禁止エリアに設置された無線送信機１（禁止タグ）からの受信強度が−１０ｄＢｍである場合、受信強度提示部２６は、この受信強度を相対距離に換算して、無線送信機１と通信可能な相対距離の初期値として表示部２３に表示する。図６の例では、相対距離は、「接近」と「近い」との間の距離軸上の距離（相対的な距離）として表示され、この場合、無線送信機１と通信可能な相対距離の初期値として、受信強度閾値の初期値に対応する距離として「近い」側から４分の１程度の距離（相対距離）に現在の距離値を示す人型のマーカが表示されている。この場合も、受信強度を相対距離に変換する処理は、例えば、事前に用意しておいた変換テーブル（受信強度−相対距離テーブル）を参照して行うことができる。
【００３３】
管理者（管理端末２の利用者）は、操作部２４で、受信強度閾値の初期値を確定または変更する操作を行うことにより、無線送信機１ごとに受信強度閾値の設定値の入力を所定の設定範囲内で行う。この場合も、表示部２３に出力された相対距離の初期値を確定または変更する操作をすることにより、受信強度閾値の設定値の入力を行う。例えば、図６の操作画面の例では、相対距離として表示される受信強度閾値マークＭをドラッグ操作することにより、受信強度閾値の初期値を変更することができる。なお、禁止タグの受信強度閾値（禁止強度閾値）の設定では、受信強度閾値マークＭは「近い」側から「接近」側（受信強度が強くなる側）の間しかドラッグ操作することができない。図６の例では、現在の受信強度に応じて変換された現在の距離値のところに人型のマーカが表示されており、これが受信強度閾値の初期値となるが、マークＭを左側にドラッグして受信強度閾値の設定値を変更して入力した状態を示している。マークＭの距離値に対応する設定信号強度は−１０ｄＢｍであり、これが受信強度閾値となる。その後、登録ボタンＢをタッチ操作することにより、変更後の値を受信強度閾値の設定値として入力することができる。また、受信強度閾値の初期値を変更せずにそのまま設定値として確定する場合には、図５の操作画面の例で（受信強度閾値マークＭをドラッグ操作することなく）登録ボタンＢをタッチ操作する。
【００３４】
なお、受信強度閾値を変更する受信強度閾値マークＭのドラッグ操作を行うと、それに連動して「設定信号強度」の数値が対応する値に変更される。例えば、受信強度閾値（作業支援端末３が無線送信機１と通信可能な相対距離）を「接近」側に変更すると、設定信号強度がより高い値に変更される。また、受信強度閾値（作業支援端末３が無線送信機１と通信可能な相対距離）を「近い」側に変更すると、設定信号強度がより低い値に変更される。登録ボタンＢを操作したときに設定されている設定信号強度が、受信強度閾値の設定値として入力される。
【００３５】
例えば、清掃エリアの広さは、たいてい清掃エリアごとに異なる。本実施の形態では、管理者は、作業タグの受信強度を設定するときは、管理端末２を所持したまま、その清掃エリアの端部（無線送信機１（作業タグ）から最も遠い場所）で、所定時間（例えば３０秒間）、無線送信機１（作業タグ）からのビーコン信号を受信して、その平均受信強度から算出された受信強度閾値の初期値を得る。これを確定または変更することにより、その清掃エリアの広さに応じた受信強度閾値（作業支援端末３が無線送信機１と通信可能な相対距離）を設定する。これにより、図３に示すように、各清掃エリアの広さに応じて、その清掃エリアの端部（無線送信機１（作業タグ）から最も遠い場所）でも、作業支援端末３が無線送信機１（作業タグ）からのビーコン信号を受信できるような受信強度閾値（作業支援端末３が無線送信機１と通信可能な相対距離）が設定される。例えば、清掃エリアが広い場合には、その清掃エリアの広さに応じて受信強度閾値が低く（無線送信機１（作業タグ）と通信可能な相対距離が遠く）設定される。また、清掃エリアが狭い場合には、その清掃エリアの狭さに応じて受信強度閾値が高く（無線送信機１（作業タグ）と通信可能な相対距離が近く）設定される。
【００３６】
また、進入禁止エリアには、進入を禁止すべき対象物（例えば金庫など）があり、そうした対象物への接近を抑制しなければならない。一方で、このエリアに侵入していないのに誤って禁止タグのビーコン信号を受信して誤警報することも防止する必要がある。そこで、本実施の形態では、禁止タグの受信強度閾値は作業タグの受信強度閾値よりも高い値に設定することで、図４に示すように、対象物など禁止タグの設置位置に接近したときにだけ禁止タグのビーコン信号を受信して警報するようにし、作業などでその付近を通行しただけでは禁止タグのビーコン信号を受信しないようにしている。
【００３７】
作業情報生成部２７は、上記のようにして操作部２４から入力された無線送信機１の受信強度閾値（清掃エリアの受信強度閾値、禁止エリアの禁止強度閾値）の設定値を、その無線送信機１の識別情報と対応させた作業エリア情報を生成する。作業指示部２８は、この作業エリア情報を作業支援端末３に送信する。作業支援端末３は、後述するように、作業エリア情報に基づいて、清掃エリアごとの清掃作業の実施有無やどの程度清掃をしたか等を記録する処理を行う。
【００３８】
また、作業指情報生成部２７は、作業タグについて操作部２４にて受信強度閾値の設定値を受信強度閾値の初期値より高い値に変更する入力が行われた場合には、表示部２３に警告出力するようにしてもよい。受信強度閾値の設定値を初期値より高い値に設定してしまうと、初期値程度の受信強度によるビーコン信号は閾値未満となって受信できなくなり、清掃エリア内であっても（場所によっては）作業支援端末３が無線送信機１（作業タグ）と通信できなくなるおそれがあるからである。
【００３９】
後述するように、作業支援端末３は、清掃エリアの無線送信機１（作業タグ）からのビーコン信号を、設定強度（受信強度閾値）以上で所定の作業時間分だけ累積的に受信すると、当該エリアで作業をしたとみなす。つまり、作業タグのビーコン信号が受信可能な作業エリア内に所定時間留まっていたことにより、その作業エリアでの作業完了と判定する。管理端末２は、この準備段階において用いられる。管理者は、事前に（例えば無線送信機１の設置時などに）、その清掃エリアにて管理端末２を用いて、その無線送信機１を認識可能な信号強度（設定強度）と作業時間を指定する。これらは作業情報生成部２７により作業エリア情報として対応づけられる。
【００４０】
また、作業情報生成部２７は、作業タグについて操作部２４にて受信強度閾値の設定値を受信強度閾値の初期値より所定量（所定の許容量）以上に低い値に変更する入力が行われた場合にも、表示部２３に警告出力するようにしてもよい。受信強度閾値の設定値を初期値より過度に低い値（所定量以上に低い値、例えば、−２０ｄＢｍ以上低い値）に設定してしまうと、ビーコン信号の受信可能な範囲が初期値と比べて大きく広がるため、作業エリア外であるにも拘わらず、作業支援端末３が無線送信機１と誤って通信してしまうおそれがあるからである。
【００４１】
続いて、作業支援端末３の各部の構成について、図面を参照しながら説明する。図２に示すように、作業支援端末３は、近距離通信部３０、通信部３１、記憶部３２、表示部３３、操作部３４、制御部３５、行動量検出部３６を備えている。
【００４２】
近距離通信部３０は、清掃エリア内で無線送信機１と近距離通信を行う機能を備えた通信インターフェースである。近距離通信部３０は、清掃エリア内で無線送信機１から送信されるビーコン信号を受信する。近距離通信には、例えばBluetooth（登録商標）が用いられる。通信部３１は、管理端末２と通信を行う機能を備えた通信インターフェースである。通信部３１は、例えば、電話網やインターネット網などを介して、管理端末２と通信を行う。記憶部３２は、メモリなどで構成される。記憶部３２には、作業支援端末３の機能を実現するためのプログラムや種々のデータが記憶される。例えば、記憶部３２には、清掃エリアごと（無線タグごと）に設定された作業時間（例えば１０分）が記憶される。また、この記憶部３２には、清掃エリアごと（無線タグごと）に設定された受信強度閾値が記憶される。表示部３３は、液晶ディスプレイなどで構成される。操作部３４は、入力キーなどで構成されてもよく、タッチパネルで構成されてもよい。タッチパネルは、表示部３３と操作部３４の両方の機能を兼ね備えているといえる。行動量検出部３６は、例えば加速度センサ（歩数計）などで構成され、清掃員の行動量を計測する機能を備えている。
【００４３】
制御部３５は、累積処理部３７、作業判定部３８、警報判定部３９を備えている。累積処理部３７は、無線送信機１から送信されるビーコン信号を、作業エリア情報に対応する受信強度閾値以上で受信した時間を累積する処理を行う。すなわち、累積処理部３７は、無線送信機１（作業タグ）からのビーコン信号の受信強度がその無線送信機１（作業タグ）に対応して設定された受信強度閾値以上であれば、ビーコン信号の受信時間を累積する。この場合、累積処理部３７は、無線送信機１（作業タグ）ごとにビーコン信号の受信時間を累積する。作業判定部３８は、無線送信機１（作業タグ）から送信されるビーコン信号を、受信強度閾値以上で所定の作業時間（例えば１０分）の分だけ累積的に受信したか否かの判定処理を行う。作業判定部３８は、受信強度閾値以上で所定の作業時間の分だけ累積的に受信した場合に、その清掃エリアの清掃作業が完了したと判定する。すなわち、作業判定部３８は、累積処理部３７で累積した時間が無線送信機１に対応して設定された作業時間（例えば１０分）を越えるとその無線送信機に対応する清掃エリアにおいて清掃作業が完了したと判定する。受信強度閾値と作業時間の情報は、管理端末２から送信される作業エリア情報に含まれている。
【００４４】
警報判定部３９は、無線送信機１が「禁止タグ」であり、その無線送信機１（禁止タグ）から送信されるビーコン信号の受信強度が所定の禁止強度閾値（禁止タグの受信強度閾値）以上である場合に、表示部３３に警報出力（異常出力）を行う。すなわち、禁止タグについては、作業タグのように受信時間を累積することなく、禁止強度閾値以上で受信すると即警報する。禁止タグは、清掃員などの外部の者が立ち入りを禁止されたエリア（進入禁止エリア）に設置されるタグである。禁止強度閾値は、作業エリアの無線送信機１（無線タグ）の受信強度閾値より高い値に設定される。上記のように、警報判定部３９により清掃員が進入禁止エリアに入ったと判定されると、表示部３３に「進入禁止エリアである」旨の異常出力が行われる。また、その場合、警報判定部３９は、異常出力が行われた旨（清掃員が進入禁止エリアに入ったと判定した旨）を管理端末２に通報する処理を行う。
【００４５】
以上のように構成された作業支援システムについて、図面を参照してその動作を説明する。
【００４６】
まず、図７を参照して、受信強度閾値の設定をするときの管理端末２の動作について説明する。図７は、管理端末２の設定モード時の動作を示すフロー図である。受信強度閾値の設定をする場合、管理端末２は設定モードにセットされる。図７に示すように、管理端末２を用いて受信強度閾値の設定をする場合には、管理者は管理端末２の操作部２４を操作して、これから受信するエリア（清掃エリアや進入禁止エリア）に設置された無線送信機１（無線タグ）の識別情報（識別ＩＤ）を指定する（Ｓ１）。この場合、例えば図５に示すように、無線タグの識別ＩＤとして「００１１１１」を入力すると、予め対応して記憶していたそのエリアの場所名称「１Ｆ南西室」が表示されてもよい。
【００４７】
次に、管理者は管理端末２を所持して清掃エリアの端部で無線送信機１からのビーコン信号を受信する。管理端末２は、該当する無線送信機１からのビーコン信号を受信した場合、すなわち、受信したビーコン信号に含まれる識別情報が上記ステップＳ１で指定した無線送信機１のものであった場合には（Ｓ２）、その無線送信機１が禁止タグであるか否かの判定を行う（Ｓ３）。図５の例では、画面上部に表示された「作業場所タグ」または「立入禁止タグ」を選択するラジオボタンにより、作業タグか禁止タグかを入力する。無線送信機１が禁止タグでなかった場合、すなわち、清掃エリアの無線タグであった場合には、所定の検査時間（例えば３０秒間）の受信強度を累積して、検査時間内の平均受信強度を算出する（Ｓ４）。
【００４８】
算出した平均受信強度が予め定められた設定範囲内（禁止タグの受信強度の設定可能範囲（「接近」から「近い」までの範囲）より低い範囲内）である場合には（Ｓ５）、その平均受信強度を距離に換算し、平均受信強度に対応する相対距離を算出する（Ｓ６）。そして、受信強度閾値の初期値として、算出した相対距離を相対距離軸上に表示する（Ｓ７）。
【００４９】
つぎに、管理端末２は、受信強度閾値の初期値を変更する操作（受信強度閾値マークＭのドラッグ操作）が行われたか否かを判定する（Ｓ８）。受信強度閾値の初期値を変更する操作が行われた場合には、受信強度閾値の設定値をその値に変更する（Ｓ９）。そして、確定入力（登録ボタンＢをタッチ操作）が行われると（Ｓ１０）、その値を受信強度閾値の設定値として登録し、該当する無線送信機１（無線タグ）の識別情報（識別ＩＤ）と対応させて作業エリア情報として記憶する（Ｓ１１）。
【００５０】
一方、受信強度閾値の初期値を変更する操作が行われなかった場合には、確定入力（登録ボタンＢをタッチ操作）が行われると（Ｓ１０）、受信強度閾値の初期値を、そのまま受信強度閾値の設定値として登録し、該当する無線送信機１（無線タグ）の識別情報（識別ＩＤ）と対応させて作業エリア情報として記憶する（Ｓ１１）。
【００５１】
上記のステップＳ３において、無線送信機１が禁止タグであった場合には、禁止タグの受信強度の設定可能範囲で、その禁止タグを受信できる受信強度を算出または決定する。そして、受信強度を距離に換算して、平均受信強度に対応する相対距離を算出し、禁止強度閾値の初期値として、算出した相対距離を相対距離軸上に表示する（Ｓ１２）。例えば、「接近」と「近い」との間の距離軸上に「近い」側から４分の１程度の距離（相対距離）に現在の距離値を示す人型のマーカーが表示される（図６参照）。
【００５２】
管理端末２は、禁止強度閾値の初期値を変更する操作（受信強度閾値マークＭのドラッグ操作）が行われると（Ｓ１３）、その距離に対応する受信強度を算出し（Ｓ１４）、その値を禁止強度閾値の設定値として登録し、該当する無線送信機１（禁止タグ）の識別情報（識別ＩＤ）と対応させて作業エリア情報に記憶する（Ｓ１１）。図６では、受信強度閾値マークＭを人型マーカ位置となる初期値の位置から左方向にドラッグして、禁止強度閾値の設定値を変更している。このようにして作業エリア情報に無線送信機１の受信強度閾値が記憶される。
【００５３】
つぎに、図８を参照して、清掃作業をしているときの管理端末２と作業支援端末３の動作について説明する。図８は、清掃作業時の処理の流れを示すシーケンス図である。図８に示すように、清掃作業を始めるときに、管理端末２から作業支援端末３に清掃指示信号が送信される（Ｓ２０）。この清掃指示信号には作業エリア情報が含まれている。作業支援端末３は、作業エリア情報を受信すると（Ｓ２１）、清掃開始の操作を待ち受ける。清掃員が作業支援端末３を操作して清掃開始の操作（例えば、清掃開始ボタンのタッチ操作）をすると（Ｓ２２）、作業支援端末３から管理端末２に清掃開始信号が送信される（Ｓ２３）。管理端末２は、清掃管理信号を受信すると、清掃開始を示す情報を記憶部２２に記憶する（Ｓ２４）。
【００５４】
清掃員は作業支援端末３を所持したまま施設内を巡回しながら清掃作業を順次行う。例えば、ある清掃エリアの清掃作業を行っているときに、作業支援端末３は、その清掃エリアに設置された無線送信機１（作業タグ）からビーコン信号を受信する（Ｓ２５）。作業支援端末３は、無線送信機１（作業タグ）から受信したビーコン信号の受信強度が、その無線送信機１の受信強度閾値（管理端末２で設定された受信強度閾値。作業エリア情報に含まれる）以上である場合、その清掃員の行動量を計測する（Ｓ２６）。そして、ビーコン信号を受信した累積時間が作業エリアごと（無線タグごと）に定められた作業時間（例えば１０分。作業エリア情報に含まれる）以上になると、その清掃エリアの清掃作業が完了したとして、それまでに記憶された行動量と現在時刻を清掃作業の履歴情報として記憶する（Ｓ２７）。
【００５５】
その清掃エリアの清掃作業が完了すると、清掃員は、次の清掃エリアへ移動する。作業支援端末３は、その清掃エリアに設置された無線送信機１（作業タグ）からビーコン信号を受信する（Ｓ２８）。以下、担当するすべての清掃エリアの清掃作業が完了するまで、上記のステップＳ２５〜Ｓ２７を繰り返す。
【００５６】
すべての清掃エリアの清掃作業が完了すると、清掃員は、作業支援端末３を操作して清掃終了の操作（例えば、清掃終了ボタンのタッチ操作）をする（Ｓ２９）。そうすると、作業支援端末３から管理端末２に清掃終了信号および作業履歴情報が送信される（Ｓ３０）。管理端末２は、清掃終了を示す情報と作業履歴情報を記憶部２２に記憶する（Ｓ３１）。そして、管理端末２は、各エリアの行動量を基準行動量（例えば２００歩。予め設定される値）と比較して（Ｓ３２）、行動量が基準行動量に達していない場合などには、異常があるとして管理者に報知を行う（Ｓ３３）。
【００５７】
つづいて、図９を参照して、清掃作業をしているときの作業支援端末３の動作について詳しく説明する。図９は、ある清掃エリアの清掃作業をしているときの作業支援端末３の動作を示すフロー図である。図９に示すように、作業支援端末３は、その清掃エリアに設置された無線送信機１からビーコン信号を受信すると、そのビーコン信号に含まれる識別情報から、その無線送信機１が「禁止タグ」であるか否かを判定する（Ｓ４０）。無線送信機１の識別ＩＤと、作業タグか禁止タグかの区別は、作業エリア情報に記憶されている。
【００５８】
禁止タグでないと判定された場合、作業支援端末３は、無線送信機１（作業タグ）から受信したビーコン信号の受信強度が、その無線送信機１（作業タグ）の受信強度閾値（管理端末２で設定された受信強度閾値。作業エリア情報に含まれる）以上であるか否かの判定を行う（Ｓ４１）。無線送信機１（作業タグ）から受信したビーコン信号の受信強度が受信強度閾値以上であった場合には、清掃員により作業支援端末３の操作部３４でキャンセル操作（例えば、キャンセルボタンのタッチ操作）が行われたか否かの判定を行う（Ｓ４２）。キャンセル操作は、清掃員が所望しない無線送信機１のビーコン信号を受信してしまった場合などに行われる。
【００５９】
キャンセル操作が行われなかった場合、無線送信機１（作業タグ）から受信したビーコン信号の受信強度が受信強度閾値以上である時間を累積するとともに（Ｓ４３）、検出される清掃者の行動量を加算する（Ｓ４４）。累積時間が作業時間に達するまで上記ステップＳ４０〜Ｓ４４が繰り返される。そして、累積時間が定められた作業時間（例えば１０分）以上になると（Ｓ４５）、その清掃エリアの清掃作業が完了したと判定して（Ｓ４６）、その無線送信機１の識別情報と対応させて、現在時刻と行動量を清掃作業の履歴情報として記憶する（Ｓ４７）。
【００６０】
キャンセル操作が行われた場合には、その無線送信機１から受信したビーコン信号の受信強度が受信強度閾値以上である時間（累積した時間）をクリアする（Ｓ４８）。
【００６１】
一方、最初のステップＳ４０において、禁止タグであると判定された場合には、その無線送信機１（禁止タグ）から受信したビーコン信号の受信強度が禁止タグに対応する受信強度閾値（作業エリア情報に予め登録される）以上であるか否かを判定し（Ｓ４９）、受信強度閾値以上である場合には、表示部３３に「進入禁止エリアである」旨の異常出力が行われ（Ｓ５０）、異常出力が行われた旨（清掃員が進入禁止エリアに入ったと判定した旨）が管理端末２に通報される（Ｓ５１）。
【００６２】
このような本実施の形態の作業支援システムでは、作業支援端末は、作業エリアに設置された作業無線送信機の識別信号を、所定の作業時間（その作業無線送信機に対応して設定された作業時間）のあいだ、累積的に受信すると、その作業エリアにおいて作業が完了したと判定する。これにより、作業員が作業エリアで作業を完了したか否かを作業支援端末で記録・管理することが可能になる。一方、作業支援端末は、進入禁止エリアに設定された禁止無線送信機の識別信号を受信すると、受信時間を累積することなく作業員に対して警報出力する。これにより、作業員が進入禁止エリアに近づくのを抑制することができる。この場合、進入禁止エリアに設定された禁止無線送信機の識別信号を受信すると、受信時間を累積することなく、ただちに警報出力されるので、進入禁止エリア内における短時間の不正行為でも検出することができる。
【００６３】
また、本実施の形態では、作業支援端末は、作業エリアに設置された作業無線送信機の識別信号を、所定の受信強度閾値（その作業無線送信機に対応して設定された受信強度閾値）以上で、かつ、所定の作業時間のあいだ、累積的に受信すると、その作業エリアにおいて作業が完了したと判定する。このように、作業無線送信機からの識別信号の受信強度を考慮に入れることにより、作業員が作業エリアで作業を完了したか否かの判定精度を高くすることができる。一方、作業支援端末は、進入禁止エリアに設定された禁止無線送信機の識別信号を、所定の禁止強度閾値（作業無線送信機ごとに設定された受信強度閾値より高い値）以上で受信すると、作業員に対して警報出力する。このように、禁止無線送信機からの識別信号の受信強度を考慮に入れることにより、作業員が進入禁止エリアに立ち入ったか否かの判定精度を高くすることができる。これにより、例えば、作業員が進入禁止エリアに立ち入ったときには、そのことが正しく判定され、一方、作業員が（進入禁止エリアに立ち入ることなく）進入禁止エリアの近くを通り過ぎただけで、進入禁止エリアに立ち入ったと誤判定されるのを防止することができる。
【００６４】
また、本実施の形態では、管理端末を用いることによって、作業無線送信機ごとの受信強度閾値を容易に設定することができる。これにより、作業員が作業エリアで作業を完了したか否かを作業支援端末で記録・管理することが可能になる。また、管理端末を用いることによって、禁止無線送信機の禁止強度閾値を容易に設定することができる。これにより、作業員が進入禁止エリアに近づくのを抑制することができる。この場合、禁止強度閾値が作業無線送信機ごとに設定された受信強度閾値より高い値に設定されるので、作業員が進入禁止エリアに立ち入ったか否かの判定精度を高くすることができる。
【００６５】
以上、本発明の実施の形態を例示により説明したが、本発明の範囲はこれらに限定されるものではなく、請求項に記載された範囲内において目的に応じて変更・変形することが可能である。
【産業上の利用可能性】
【００６６】
以上のように、本発明にかかる作業支援端末は、作業員が作業エリアで作業を完了したか否かを記録・管理することができ、また、作業員が進入禁止エリアに近づくのを抑制することができるという効果を有し、作業員が定期的に施設内を巡回する定期点検作業（例えば、設備点検や警備巡回、清掃など）に用いられ、有用である。
【符号の説明】
【００６７】
１  無線送信機
２  管理端末
３  作業支援端末
２０  近距離通信部
２１  通信部
２２  記憶部
２３  表示部
２４  操作部
２５  制御部
２６  受信強度提示部
２７  作業情報生成部
２８  作業指示部
３０  近距離通信部
３１  通信部
３２  記憶部
３３  表示部
３４  操作部
３５  制御部
３６  行動量検出部
３７  累積処理部
３８  作業判定部
３９  警報判定部
【図１】
0006495001.tif 000002
【図２】
0006495001.tif 000003
【図３】
0006495001.tif 000004
【図４】
0006495001.tif 000005
【図５】
0006495001.tif 000006
【図６】
0006495001.tif 000007
【図７】
0006495001.tif 000008
【図８】
0006495001.tif 000009
【図９】
0006495001.tif 000010